(57)【要約】      （修正有）【課題】分解・組立てが簡単で、上着用ハンガーが上着に皺や型崩れを発生させない形状のスーツハンガーを提供する。【解決手段】ズボン用ハンガー５と小物置台６の詳細を示す。ズボン用ハンガー５と小物置台６は共に両端が丸められた細長い長方形状の支持板６２に固着され、支持板６２が上部支柱２１の下面と中部支柱２２の上面の間に挟着固定されることにより、支柱２に固着されている。すなわち、支持板６２の後端部には円孔６２ａが穿設されており、図６ｂに見るように、上部支柱２１の下面に突設された芯材２１ｄが支持板６２の円孔６２ａに挿通され、さらに芯材２１ｄの露出部分に刻切されたネジ山が中部支柱２２の上面に刻切されたネジ孔２２ｂに螺入され、上部支柱２１が中部支柱２２に螺着されることにより、支持板６２が上部支柱２１の下面と中部支柱２２の上面の間に挟着固定される。【選択図】図４
0003137422.tif 000002
【実用新案登録請求の範囲】
【請求項１】
台座に突設された支柱に上着用ハンガーとズボン用ハンガーと小物置台が設けられたスーツハンガーにおいて、
上着用ハンガーの下方に位置する支柱に正面に向かって突設させた支持板上へ小物置台を一体に固着し、該支持板裏面に固着した線材の固着部分が前方にてやや下方に曲折されて短い斜向部分となり、該斜向部分の前部にて右方へ曲折されて水平方向に伸びる接続部分となり、その右端で大きく反転されて湾曲部分となり、さらに湾曲部分は長く水平に延伸されて水平部分をなして上記接続部分と水平部分の右側部分との間に狭い空間を形成し、かつ水平部分の左側部分と小物置台との間には広い空間を形成してなるズボン用ハンガーを有することを特徴とするスーツハンガー。
【請求項２】
台座に突設された支柱に上着用ハンガーとズボン用ハンガーと小物置台が設けられたスーツハンガーにおいて、
ズボン用ハンガーのズボンを懸装する水平部分が上着用ハンガーの中心軸に対して１８０ｍｍ以上前方に突出されており、
小物置台の後端部分が上着用ハンガーの中心軸に対して４０ｍｍ以上前方に突出されており、
上着用ハンガーの最高部位の高さが台座が設置される水平面から１０００ｍｍ〜１２００ｍｍの範囲内であり、
ズボン用ハンガーのズボンを懸装する水平部分の中心の高さが台座が設置される水平面から７５０ｍｍ〜８４０ｍｍの範囲内であり、
小物置台の上面の高さが台座が設置される水平面から８００ｍｍ〜９２０ｍｍの範囲内であることを特徴とするスーツハンガー。
【請求項３】
上着用ハンガー、支持板に固着されたズボン用ハンガーと小物置台、ポール、台座がすべて分解可能であり、ポール自体も２以上の部分に分解可能であることを特徴とする請求項２に記載のスーツハンガー。
【請求項４】
ズボン用ハンガーと小物置台の両者がポールに固着された支持板に固着され、該支持板から上着用ハンガーの最高部位までの距離が２００〜３００ｍｍの範囲内であり、ズボン用ハンガーのズボンを懸装する水平部分が小物置台より下方に位置していることを特徴とする請求項２あるいは請求項３に記載のスーツハンガー。
【請求項５】
上着用ハンガーの全体の高さが全体の横幅の３３％〜３６％の範囲内であり、上着用ハンガーの上面の横幅が全体の横幅の２０％〜２５％の範囲内であることを特徴とする請求項２あるいは請求項３あるいは請求項４に記載のスーツハンガー。
【考案の詳細な説明】
【技術分野】
【０００１】
本考案は、台座に突設された支柱に上着用ハンガーとズボン用ハンガーと小物置台が設けられたスーツハンガーに関するものであり、家庭や会社あるいは宿泊施設等にて、部屋の一隅に設置して用いられるものとして考案されたものである。
【背景技術】
【０００２】
従来から、台座に突設された支柱に上着用ハンガーとズボン用ハンガーと小物置台が付設されたスーツハンガーにはさまざまな構成のものが知られているが、その多くは、主として使い勝手において改良の余地が多々見られる。下記に紹介する特許文献１のワンタッチ洋服ハンガーは、家庭や会社にて用いることを旨としたものであり、特許文献２のコートハンガー構造は、店舗のウィンドウなどに洋服を展示するためのものである。
【０００３】
特許文献１のワンタッチ洋服ハンガーは、上着用ハンガー、ズボン用ハンガー、小物置台を１本のポールに配設したものであるが、以下に記す点にて使い勝手の悪さが存した。すなわち、まず第１の問題点は、上着用ハンガーに上着を懸けた時点において、ズボン用ハンガーが上着に隠されてしまうという点である。
【０００４】
人間が、このようなスーツハンガーに上着やズボンを懸ける場合の行動を考えて見ると、まず上着を脱いで上着用ハンガーに懸け、次にズボンを脱いでズボン用ハンガーに懸ける。この逆の行動を採る人はまず見られない。しかるに、特許文献１のワンタッチ洋服ハンガーにおいては、上着用ハンガーに上着を懸けた時点にてズボン用ハンガーが上着に隠されてしまうので、ズボン用ハンガーにズボン懸けようとすれば一度懸けた上着の前の部分を掻き分けてズボン用ハンガーにズボンを懸けなければならず、この時点にて上着の型崩れや皺を誘発することになる。また、甚だしい場合には、上着用ハンガーから上着を落下させてしまうこともある。
【０００５】
さらに、人間がこのようなスーツハンガーから上着やズボンを取り外して体に着用しようとする場合には上記の逆で、まずズボンを穿き、しかるのちに上着を身に着ける。この場合にも、逆の方法、すなわち、先に上着を着てからズボンを穿く人は滅多に見られない。しかるに、下記特許文献１のワンタッチ洋服ハンガーにおいては、ズボンを穿こうとする際には上着の前を掻き分けて奥に懸装されているズボンを取り外す必要があるが、この際に、上着に皺が寄ったり、甚だしくは上着を上着用ハンガーから取り落とす危険がある。
【０００６】
また、特許文献１のワンタッチ洋服ハンガーにおいては、小物置台がポールの頂部、すなわち上着用ハンガーの上部に設けられているが、このような配置とした場合には、小物置台の位置が高すぎることとなり、小物が置きにくいばかりか、せっかく置いた小物を取り落とす危険さえ生じる。特に、小物置台が人の目線より上に位置した場合には、このような危険が高くなる。
【０００７】
特許文献１のワンタッチ洋服ハンガーにおいては、各部の寸法が記載されていないので、小物置台の位置が台座（スタンド基台）が設置されている水平面（床）からどのくらいの高さに位置するのかは明らかではないが、ズボン用ハンガーの位置からすると上着用ハンガーの位置は水平面から少なくとも１０００ｍｍ以上と考えられ、小物置台の位置はさらにその上に位置することとなる。これは、小物を目で確認しながら安全に載置するためにはいささか高すぎる位置であり、小物置台の位置は、理想的には通常の机の上面の高さよりやや高い位置、すなわち８００ｍｍ〜９００ｍｍ程度が適切あるといわねばならない。この位置であれば、小物を目で確認しながら安全に載置することができる上に、腰を殆どかがめなくても、手の動作だけで小物を載置したり、また載置されている小物を再び取り上げたりすることが可能だからである。
【０００８】
また、特許文献１の「ワンタッチ洋服ハンガー」においては、上着用ハンガーの形態が単なる水平のパイプ（平行腕柱）とされているが、このような形状のハンガーは和服用のものであって、これに洋服を懸けるにはかなり無理があり、型崩れは必至であるといわねばならない。上着用ハンガーの形態は、洋服が安定的に懸装でき、型崩れや皺の発生がなく、しかも懸装時にも取り外す際にも動作が楽に行える設計となっていなければならない。
【０００９】
次に、下記特許文献２の「コートハンガー構造」は、上着の展示用のスーツハンガーであるので、当然ズボン用ハンガーは設けられていない。また、展示用のハンガーの特質として、上着の懸装や取り外しを頻繁に行うことは想定されておらず、むしろ懸装時にいかにマネキンが着用しているかのように立体感をもって上着を展示できるかという点に留意して各部分の設計が行われている。その結果として、ハンガーにアーム部分が付与され、胴部には胴体の形態を安定させる「下部支持素子」と呼ばれる部材が装着されている。
【００１０】
したがって、下記特許文献２の「コートハンガー構造」は、懸装された上着を安定的に保持するとともに型崩れや皺の発生を防止するという機能は充分に備えているものの、該構造を家庭やオフィスでのスーツハンガーとして用いた場合には、上着の懸装や取り外しが面倒で、実用的とは呼びがたいものであることは誰の目にも明らかである。
【００１１】
また、下記特許文献２の「コートハンガー構造」には、下部に「物品支持棚」が設けられているが、この「物品支持棚」は元来、展示時にプライスカードなどを載置するためのものである。したがって、これを小物置台に流用することは可能ではあるものの、実際の使用に関してはいろいろ支障が生じる。すなわち、下記特許文献１の「ワンタッチ洋服ハンガー」の小物置台に比較すると、かなり低い位置にあるので、小物を目で確認しながら載置することは当然可能であるが、載置する際にも取り上げる場合にも腰をかなり深くかがめなければならず、非常に不便である。また、ここまで低い位置であると、例えば眼鏡や時計などを載置した場合、埃が多く付着する可能性もある。
【特許文献１】特開２００４‐８９６５８号公報
【特許文献２】表開昭６３‐２３０１１１号公報
【考案の開示】
【考案が解決しようとする課題】
【００１２】
以上より、本発明の課題を以下のように設定した。
＜課題１＞
家庭や職場、あるいは宿泊施設等にて、人が外出時や帰着時に用いる、台座に突設されたポールを用いたスーツハンガーの考案として、上着用ハンガー、ズボン用ハンガー、小物置台の少なくとも３部材を備えたものを開発する。上着、ズボン、そして腕時計や財布、携帯電話などの小物は、外出時には必要不可欠の装用品であるので、これらを合理的に配設載置できるスーツハンガーでないと、実用的な意味は薄弱となる。
＜課題２＞
人は、外出時にはまずズボンを穿き、次に上着を着け、最後に小物類を上着やズボンのポケット、あるいは鞄に入れる。帰着時にはこの逆の順序の動作となる。したがって、この人の動作順序に支障をきたさないような構成のスーツハンガーを考える。具体的には、上着が懸装された状態にて、上着にはまったく手を触れずにズボンの懸装や取り外し、あるいは小物類の載置や取り上げが可能な構成のスーツハンガーでないと、上着に皺や型崩れを生じたり、甚だしくは上着を上着用ハンガーから取り落とす危険性も指摘される。このような支障を生じないスーツハンガーでないと、実用上の意味が生じない。
＜課題３＞
多くのスーツハンガーにおいて、上着用ハンガーの位置、すなわち床面からの高さは、比較的使い勝手の良い位置に考えられている。すなわち、腰をかがめなくとも手を伸ばすだけで上着の懸装や取り外しが可能な位置に設けられている。しかるに、ズボン用ハンガーについてはその点の考慮が不十分なものも多く、小物置台に至っては、位置が高すぎて、目で確認しながら小物類を載置したり取り上げたりするには不便があったり、あるいは小物類を取り落とす危険性のあるものも多い。また逆に、位置が低すぎて載置や取り上げの際に腰をかがめる必要があったり、埃の付着が懸念されるような配置のものも見られる。したがって、上着用ハンガーの位置すなわち床面からの高さが適切であることは無論のこと、ズボン用ハンガーや小物置台についてもその位置（床面からの高さ）が人の動作に対して適切であるスーツハンガーを開発する必要がある。
＜課題４＞
スーツハンガーは、高さが少なくとも１ｍ程度にはなる物品であり、突出部分も多く、購買時や引越しの際などには、そのままの姿であるときわめて荷造りがしづらいものである。したがって、全体ができるだけ少数の部品に分解されるように構成し、しかも分解及び組立てが合理的かる迅速に行えるように考える。
＜課題５＞
スーツハンガーに一旦衣類を懸装すれば、長い場合にはほぼ一晩そのままにしておくという場合も考えられる。洋服、特に上着は、懸装されるハンガーの形態によっては長時間の懸装によって不自然な皺が発生したり型崩れを起こす場合もしばしば見られるので、上着用ハンガーの形態には特に注意して、長時間の懸装においても皺や型崩れの発生をみない形状の上着用ハンガーを備えたスーツハンガーの開発に留意する。
【課題を解決するための手段】
【００１３】
本考案は上記課題を解決するためになされたものであって、下記の解決手段を提供するものである。
＜解決手段１＞
台座に突設された支柱に上着用ハンガーとズボン用ハンガーと小物置台が設けられたスーツハンガーにおいて、
上着用ハンガーの下方に位置する支柱に正面に向かって突設させた支持板上へ小物置台を一体に固着し、該支持板裏面に固着した線材の固着部分が前方にてやや下方に曲折されて短い斜向部分となり、該斜向部分の前部にて右方へ曲折されて水平方向に伸びる接続部分となり、その右端で大きく反転されて湾曲部分となり、さらに湾曲部分は長く水平に延伸されて水平部分をなして上記接続部分と水平部分の右側部分との間に狭い空間を形成し、かつ水平部分の左側部分と小物置台との間には広い空間を形成してなるズボン用ハンガーを有することを特徴とするスーツハンガー。
＜解決手段２＞
台座に突設された支柱に上着用ハンガーとズボン用ハンガーと小物置台が設けられたスーツハンガーにおいて、
ズボン用ハンガーのズボンを懸装する水平部分が上着用ハンガーの中心軸に対して１８０ｍｍ以上前方に突出されており、
小物置台の後端部分が上着用ハンガーの中心軸に対して４０ｍｍ以上前方に突出されており、
上着用ハンガーの最高部位の高さが台座が設置される水平面から１０００ｍｍ〜１２００ｍｍの範囲内であり、
ズボン用ハンガーのズボンを懸装する水平部分の中心の高さが台座が設置される水平面から７５０ｍｍ〜８４０ｍｍの範囲内であり、
小物置台の上面の高さが台座が設置される水平面から８００ｍｍ〜９２０ｍｍの範囲内であることを特徴とするスーツハンガー。
＜解決手段３＞
上着用ハンガー、支持板に固着されたズボン用ハンガーと小物置台、ポール、台座がすべて分解可能であり、ポール自体も２以上の部分に分解可能であることを特徴とする解決手段２に記載のスーツハンガー。
＜解決手段４＞
ズボン用ハンガーと小物置台の両者がポールに固着された支持板に固着され、該支持板から上着用ハンガーの最高部位までの距離が２００〜３００ｍｍの範囲内であり、ズボン用ハンガーのズボンを懸装する水平部分が小物置台より下方に位置していることを特徴とする解決手段２あるいは解決手段３に記載のスーツハンガー。
＜解決手段５＞
上着用ハンガーの全体の高さが全体の横幅の３３％〜３６％の範囲内であり、上着用ハンガーの上面の横幅が全体の横幅の２０％〜２５％の範囲内であることを特徴とする解決手段２あるいは解決手段３あるいは解決手段４に記載のスーツハンガー。
【考案の効果】
【００１４】
本考案の解決手段１の考案によれば、上着用ハンガーの下方に位置する支柱に正面に向かって突設させた支持板上へ小物置台を一体に固着し、該支持板裏面に固着した線材の固着部分が前方にてやや下方に曲折されて短い斜向部分となり、該斜向部分の前部にて右方へ曲折されて水平方向に伸びる接続部分となり、その右端で大きく反転されて湾曲部分となり、さらに湾曲部分は長く水平に延伸されて水平部分をなして上記接続部分と水平部分の右側部分との間に狭い空間を形成し、かつ水平部分の左側部分と小物置台との間には広い空間を形成してなるズボン用ハンガーを有するので、小物置台とズボン用ハンガーが一体として支柱に突設された支持板に設けられていることとなり、構造上極めて合理的であり、かつ丈夫である。
【００１５】
さらに、ズボン用ハンガーの水平部分にズボンを懸ける際にも、水平部分の手前側から向こう側にズボンを懸けるという通常の懸け方のみならず、予め二つ折りにしたズボンの湾曲部分に手を差し入れた状態で水平部分の左方から水平部分の左側部分と小物置台との間に形成されている広い空間を利用してズボンを水平移動して懸けることができるので、極めて便利で使い勝手が良い。また、このような方法でズボンを懸ければ、複数本のズボンを容易に懸けることが可能である。尚且、斜向部分の前部にて右方へ曲折されて水平方向に伸びる接続部分と、その右端で大きく反転された湾曲部分より長く水平に延伸された水平部分との間に狭い空間を形成してなるゆえ、上記接続部分と水平部分との間の狭い空間に複数本のズボンが安定して懸着状態に保たれる利点がある。
【００１６】
本考案の解決手段２の考案によれば、ズボン用ハンガーのズボンを懸装する水平部材が上着用ハンガーの中心軸に対して１８０ｍｍ以上前方に突出されているので、上着用ハンガーに上着が懸装された状態で、上着にまったく手を触れることなくズボンをズボン用ハンガーに懸装したり取り外したりすることが可能である。したがって、人が外出時に、あるいは帰着時にスーツハンガーに衣類を懸装する際の動作にまったく支障をきたすことがなく、上着の皺の発生や型崩れもなく、さらに上着を上着用ハンガーから取り落とす危険も生じない。
【００１７】
また、本考案の解決手段２の考案によれば、小物置台の後端部分が上着用ハンガーの中心軸に対して４０ｍｍ以上前方に突出されているので、上着用ハンガーに上着が懸装された状態で、上着にまったく手を触れることなく小物類を小物置台に載置したり取り上げたりすることが可能である。したがって、上記同様、上着の皺の発生や型崩れもなく、さらに上着を上着用ハンガーから取り落とす危険も生じない。
【００１８】
また、本考案の解決手段２の考案によれば、上着用ハンガーの最高部位の高さが台座が設置される水平面から１０００ｍｍ〜１２００ｍｍの範囲内であり、ズボン用ハンガーのズボンを懸装する水平部分の中心の高さが台座が設置される水平面から７５０ｍｍ〜８４０ｍｍの範囲内であり、小物置台の上面の高さが台座が設置される水平面から８００ｍｍ〜９２０ｍｍの範囲内であるので、腰をかがめなくとも手を伸ばすだけで上着の懸装や取り外しが可能なだけでなく、ズボンの懸装や取り外し、小物類の載置や取り上げも腰をかがめることなく楽な姿勢で自然に行うことができる。また、小物類を目で確認しながら楽に載置、取り上げができるので、小物類を落下させる危険もない。さらに、小物類に埃が付着する惧れもない。
【００１９】
次に、本考案の解決手段３の考案によれば、上着用ハンガー、支持板に固着されたズボン用ハンガーと小物置台、ポール、台座がすべて分解可能であり、ポール自体も２以上の部分に分解可能であるので、購入時や引越しの際の運搬において、非常に便利である。
【００２０】
次に、本考案の解決手段４の考案によれば、ズボン用ハンガーと小物置台の両者がポールに固着された支持板に固着されているので、分解や組立ての際にも工数が少なく便利である。また、支持板から上着用ハンガーの最高部位までの距離が２００〜３００ｍｍの範囲内であるので、上着用ハンガーに上着を懸装した場合に、支持板が上着の合わせ部分の上の空間部分に位置することになるので、上着の合わせ部分に支持板が衝突することがない。さらにまた、ズボン用ハンガーのズボンを懸装する水平部分が小物置台より下方に位置しているので、ズボンを懸装してから小物を載置するという動作を行った場合にもまったく支障は生じない。
【００２１】
次に、本考案の解決手段５の考案によれば、上着用ハンガーの全体の高さが全体の横幅の３３％〜３６％の範囲内であり、上着用ハンガーの上面の横幅が全体の横幅の２０％〜２５％の範囲内であるので、上着用ハンガーに懸装した上着に、皺や型崩れが発生しない。
【考案を実施するための最良の形態】
【００２２】
本考案を実施するための最良の形態を、以下に図面を参照しながら詳細に説明する。図１ａは本考案の実施例１のスーツハンガー１の正面図、図１ｂは右側面図、図１ｃは平面図、図２は外観斜視図である。
【実施例１】
【００２３】
本考案の実施例１のスーツハンガー１は、台座３に突設された支柱２に上着用ハンガー４とズボン用ハンガー５と小物置台６が付設されている。
台座３は略長方形の板状で、背面３ｂ、左側面３ｃ、右側面３ｄは直線状であるが、正面３ａのみは前方に凸にやや湾曲した形状であり、裏面には複数のアジャスタａ、ａ、……が固着されている。背面３ｂが直線状に形成されている理由は、台座３を壁面に隙間なく当接し得るという点であり、左側面３ｃ、右側面３ｄが直線状に形成されている理由は、部屋のコーナーにも隙間なく当接し得るという点である。また、台座３の後端部近傍の中央付近にはネジ孔３ｅ（図４参照）が穿設されている。
【００２４】
支柱２は上部支柱２１、中部支柱２２、下部支柱２３から構成される。上部支柱２１は図４に見るように、本体２１ａの上面に本体２１ａよりやや直径の小なる縮径部２１ｂが本体２１ａと一体に突設され、縮径部２１ｂの上面にはネジ孔２１ｃが穿設されている。また、本体２１ａの下面中央には金属製の芯材２１ｄが突設固着されており、芯材２１ｄの露出部分にはネジ山が刻切されている。
【００２５】
中部支柱２２は本体２２ａの上面にネジ孔２２ｂが穿設され、本体２２ａの下面中央には金属製の芯材２２ｃが突設固着され、芯材２２ｃの露出部分にはネジ山が刻切されている。下部支柱２３は本体２３ａの上面にネジ孔２３ｂが穿設され、本体２３ａの下面中央には金属製の芯材２３ｃが突設固着され、芯材２３ｃの露出部分にはネジ山が刻切されている。
【００２６】
上着用ハンガー４は、正面視が左右対称の弓形で、中央部分４ａから左翼４ｂが左方に、右翼４ｃが右方に、夫々中央部分４ａと一体に突設された形状であるが、背面４ｄは図１ｂ、図１ｃに見るように起伏の全くない平面状に形成されている。これは、分解時に専用の箱（図示せず）に収納する際の便を考慮しての構成である。中央部分４ａは上面にネジ孔４ｅ（図４参照）が穿設されており、下面には円筒形状の凹部４ｆが穿設されているが、凹部４ｆは支柱２の上部支柱２１の縮径部２１ｂが間隙なく嵌合されるサイズに形成されている。
【００２７】
図７ａに見るように、上着用ハンガー４の全体の高さをＨ1、全体の横幅をＷ１とすると、Ｈ1がＷ１の３３％〜３６％の範囲内になるように構成されている。実施例１のスーツハンガー１においては、Ｈ1＝１５０ｍｍ、Ｗ１＝４４０ｍｍで、Ｈ1はＷ１の３４．１％である。また、上着用ハンガー４の上面の横幅をＷ２とすると、Ｗ２がＷ１の２０％〜２５％の範囲内になるように構成されている。実施例１のスーツハンガー１においては、Ｗ２＝１００ｍｍで、Ｗ２はＷ１の２２．７％である。
【００２８】
上記の数値限定は、上着用ハンガー４に上着を懸装した際に、上着に皺や型崩れが発生しない上着用ハンガー４の構成を実現する上で重要な意味を有するものであり、この数値限定については、各種の構成の上着用ハンガーを試作し、実際に上着を懸けて実験した結果のものである。その一例として、上記数値限定から外れた構成の上着用ハンガー４０を図７ｂに示す。上着用ハンガー４０は、弓形の形状は上着用ハンガー４と同様であるが、全体の高さｈ1が１３５ｍｍ、全体の横幅ｗ１が４４０ｍｍ、上面の横幅ｗ２は１２０ｍｍである。したがって、ｈ1はｗ１の３０．７％、ｗ２はｗ１の２７．２％でいずれも上記の数値限定を外れている。この比較例の上着用ハンガー４０に上着を懸装したところ、顕著な皺の発生が見られ、実用には用い得ないものであることが明らかとなった。
【００２９】
また、上着用ハンガー４の最高部位すなわち上面の最高部位の高さＨ２（図１、図５参照）は、台座３が設置される水平面ＧＬから１０００ｍｍ〜１２００ｍｍの範囲内である。実施例１のスーツハンガー１においては、この高さＨ２は１０９０ｍｍとなっている。
【００３０】
図４、図６ａ、図６ｂに、ズボン用ハンガー５と小物置台６の詳細を示す。ズボン用ハンガー５と小物置台６は共に両端が丸められた細長い長方形状の支持板６２に固着され、支持板６２が上部支柱２１の下面と中部支柱２２の上面の間に挟着固定されることにより、支柱２に固着されている。すなわち、支持板６２の後端部には円孔６２ａが穿設されており、図６ｂに見るように、上部支柱２１の下面に突設された芯材２１ｄが支持板６２の円孔６２ａに挿通され、さらに芯材２１ｄの露出部分に刻切されたネジ山が中部支柱２２の上面に刻切されたネジ孔２２ｂに螺入され、上部支柱２１が中部支柱２２に螺着されることにより、支持板６２が上部支柱２１の下面と中部支柱２２の上面の間に挟着固定される。
【００３１】
ズボン用ハンガー５は、断面が円形の線材５１を曲折して構成される（図６ａ参照）。固着部分５１ａは短い直線状で支持板６２の裏面後部に固着される。固着方法は素材によって異なるが、実施例１のスーツハンガー１においては支持板６２も線材５１も金属製であるので溶着が用いられている。固着部分５１ａの前方にて線材５１はやや下方に曲折され、やはり短い斜向部分５１ｂとなっている。斜向部分５１ｂの前部にて線材５１は正面視で右方に曲折されて水平方向に伸びる接続部分５１ｃとなり、その右端で大きく反転されて湾曲部分５１ｄとなる。さらに、湾曲部分５１ｄは長く水平に延伸されて水平部分５１ｅをなし、水平部分５１ｅの左端にて上部に曲折されて短い止め部分５１ｆを形成している。そして、この水平部分５１ｅには摩擦係数の高い軟質材製のチューブ状の滑り止め５２が巻装されている。実施例１のスーツハンガー１においては、滑り止め５２は塩化ビニール製である。
【００３２】
接続部分５１ｃと水平部分５１ｅの間には、狭い空間Ｓが、水平部分５１ｅの左側部分と小物置台６との間には広い空間Ｌが、夫々形成されている。
【００３３】
ズボン用ハンガー５のズボンを懸装する水平部分５１ｅの中心と上着用ハンガー４の中心軸４Ｘとの間の距離Ｄ１（図１ｂ、図５参照）の最小値は、１８０ｍｍであるが、実施例１のスーツハンガー１の場合にはＤ１＝２０４ｍｍとされている。また、水平部分５１ｅの中心の高さＨ３（図５参照）は台座３が設置される水平面ＧＬから７５０ｍｍ〜８４０ｍｍの範囲内であるが、実施例１のスーツハンガー１の場合にはＨ３＝７８５ｍｍとされている。
【００３４】
小物置台６の本体６１は、図４、図６ａ、図６ｂに見るように、平面形状が４辺がやや外側に湾曲膨出した長方形の板状で、上面の略全体に凹部６１ａが形成され、周辺はリム部６１ｂとなっている。本体６１の裏面中央部が支持板６２の中央から前方にかけての上面に固着されており、小物置台６は支持板６２を介して支柱２に固着されている。小物置台６の本体６１と支持板６２の固着方法は、接着や螺着が考えられるが、本体６１と支持板６２の両者が金属製の場合には溶着でも良い。なお、実施例１のスーツハンガー１の場合には小物置台６の本体６１を木製としている。
【００３５】
小物置台６の本体６１の後端部分と上着用ハンガー４の中心軸４Ｘとの間の距離Ｄ２（図１ｂ、図５参照）の最小値は、４０ｍｍであるが、実施例１のスーツハンガー１の場合にはＤ２＝５０ｍｍとされている。また、本体６１のリム部６１ｂの最高部分の高さＨ４（図１ａ、図５参照）は台座３が設置される水平面ＧＬから８００ｍｍ〜９２０ｍｍの範囲内であるが、実施例１のスーツハンガー１の場合にはＨ４＝８６５ｍｍとされている。さらに、支持板６２から上着用ハンガー４の上面の最高部位までの距離Ｄ３（図１ｂ、図５参照）は２００ｍｍ〜３００ｍｍとされているが、実施例１のスーツハンガー１の場合にはＤ３＝２５０ｍｍである。
【００３６】
上着用ハンガー４の中央部分４ａには、図４に見るように頂部飾り７が螺着される。頂部飾り７はドアノブ状の本体７１の下部に略円筒形状の台部７２が一体に連接されており、台部７２の下面にはネジ山が刻切された芯材７３が下方に突設固着されている。
【００３７】
次に、実施例１のスーツハンガー１の組付け構成を図４によって詳細に説明する。実施例１のスーツハンガー１は、図４に見るように、台座３、支柱２を構成する上部支柱２１、中部支柱２２、下部支柱２３、ズボン用ハンガー５と小物置台６（両者一体に構成）、上着用ハンガー４、頂部飾り７、そしてナットＮの合計８点の部材から構成されるが、組立ては通常下部から行う。
【００３８】
すなわち、まず台座３のネジ孔３ｅに下部支柱２３の芯材２３ｃを螺入する。芯材２３ｃは台座３のネジ孔３ｅを貫通してその下端が台座３の下面からやや突出するので、その部分にナットＮを螺入して締結する。これにて、台座３に下部支柱２３が突設固着された状態となる。なお、ナットＮを蝶ナットとすれば、特別な工具を用いなくとも全体の組立てができるようになる。
【００３９】
次に、下部支柱２３の上面のネジ孔２３ｂに中部支柱２２の芯材２２ｃを螺入する。さらに、支持板６２の円孔６２ａに上部支柱の芯材２１ｄを挿通した状態で、芯材２１ｄを中部支柱２２の上面のネジ孔２２ｂに螺入する。これにて、支柱２のすべてが台座３に突設固着され、さらにズボン用ハンガー５と小物置台６も支持板６２を介して支柱２に固着された状態となる。
【００４０】
最後に上部支柱２１の上部の縮径部２１ｂを上着用ハンガー４の中央部分４ａの下面の凹部４ｆに嵌合させ、頂部飾り７の芯材７３を上着用ハンガー４の中央部４ａの上面に穿設されたネジ孔４ｅに螺入する。頂部飾り７の芯材７３は凹部４ｆに嵌合された状態の上部支柱２１の縮径部２１ｂの上面に穿設されたネジ孔２１ｃに届くように長く構成されているので、芯材７３の先端部分は縮径部２１ｂのネジ孔２１ｃに螺入される。このようにして、上着用ハンガー４は上部支柱２１と頂部飾り７の間に挟着固定され、スーツハンガー１の組立ては完成する。なお、分解の際には、上記と逆の順序にて全体は８点の部品に分解される。
【００４１】
次に、実施例１のスーツハンガー１の作用について詳述する。まず、使用者Ｕ（図５参照）が外出先から帰着して、着用していた衣類をスーツハンガー１に懸装する場合を説明する。なお、使用者Ｕは身長１６０〜１７０ｃｍ程度の日本人としての平均的な体格の男性を想定している。
【００４２】
使用者Ｕは、まず、上着ＣやズボンＰのポケットから小物類Ａ（財布や携帯電話など）を取り出し、小物置台６の本体６１の上面の凹部６１ａに載置する。この際に、腕から外した腕時計なども載置できる。小物置台６の本体６１は、その上面の高さＨ４が、台座３が設置される水平面ＧＬから８００ｍｍ〜９２０ｍｍの範囲内であるので、図５に示すように、使用者Ｕは、腕の位置ＡＲ２にてごく自然な姿勢で小物類Ａを小物置台６の上面の凹部６１ａに載置することができる。すなわち、腰をかがめたり、あるいは腕を不自然に曲げたり伸ばしたりする必要がなく、楽に小物類Ａの載置を行うことができる。また、この際に、小物類Ａの載置を眼で確認しながら行うことができるので、小物類Ａを取り落としたりする危険がない。
【００４３】
次に、使用者Ｕは、着用していた上着Ｃを脱ぎ、上着用ハンガー４に懸ける。この際、上着用ハンガー４の最高部位の高さＨ２が、台座３が設置される水平面ＧＬから１０００ｍｍ〜１２００ｍｍの範囲内であるので、図５に示すように、使用者Ｕは、腕の位置ＡＲ１〜ＡＲ３の範囲にて、ごく自然な姿勢で上着Ｃを上着用ハンガー４に懸けることができる。この際、支柱２からはズボン用ハンガー５と小物置台６を一体として固定している支持板６２が突設された状態であるが、支持板６２から上着用ハンガー４の最高部位までの距離Ｄ３が２００〜３００ｍｍの範囲内であり、支持板６２は上着Ｃを上着用ハンガー４に懸装した状態にて上着Ｃの上部の左右の襟の間の空間から突設されることになるので、支持板６２が全く邪魔になることがなく上着Ｃを上着用ハンガー４に懸けることができる。
【００４４】
さらに、使用者ＵがネクタイＮＴを着用している場合には、ネクタイＮＴをズボン用ハンガー５の接続部分５１ｃに懸ける。この際、ズボン用ハンガー５の接続部分５１ｃの中心の高さは水平部分５１ｅの中心の高さＨ３と同一で、台座３が設置される水平面ＧＬから７５０ｍｍ〜８４０ｍｍの範囲内であるので、使用者Ｕは腕の位置ＡＲ３にてごく自然な姿勢でネクタイＮＴをズボン用ハンガー５の接続部分５１ｃに懸けることができる。すなわち、この際に、腰をかがめたり、あるいは腕を不自然に曲げたり伸ばしたりする必要がなく、また、眼で確認しながら動作を行うことができる。
【００４５】
最後に、使用者ＵはズボンＰを脱いでズボン用ハンガー５の水平部分５１ｅに懸ける。この際、ズボン用ハンガー５の水平部分５１ｅの中心の高さＨ３が、台座３が設置される水平面ＧＬから７５０ｍｍ〜８４０ｍｍの範囲内であるので、図５に示すように、使用者Ｕは、腕の位置ＡＲ３にて、ごく自然な姿勢でズボンＰをズボン用ハンガー５の水平部分５１ｅに懸けることができる。すなわち、この際に、腰をかがめたり、あるいは腕を不自然に曲げたり伸ばしたりする必要がなく、また、眼で確認しながら動作を行うことができる。
【００４６】
また、ズボン用ハンガー５の水平部分５１ｅは上着用ハンガー４の中心軸４Ｘに対して距離Ｄ１、すなわち１８０ｍｍ以上前方に突出されているので、既に上着用ハンガー４に懸装されている上着Ｃには全く触れることなくズボンＰを懸けることが可能である。したがって、ズボンＰを懸ける際に、上着Ｐに皺や型崩れが発生する惧れは皆無であり、また、上着Ｃを取り落とすということもあり得ない。さらに、水平部分５１ｅには摩擦係数の高い素材からなる滑り止め５２が巻装されているので、一端水平部分５１ｅに懸装されたズボンＰはそのままの姿勢で安定的に保持され、多少人が触れたくらいでずれたり、落ちてしまうようなことがない。
【００４７】
以上のように、使用者Ｕは、動作の最初から最後まで、全く無理な姿勢を取ることなく小物類Ａを載置し、上着Ｃ、ネクタイＮＴ、そしてズボンＰをスーツハンガー１に懸けることができる。小物類Ａ、上着Ｃ、ネクタイＮＴ、そしてズボンＰをスーツハンガー１に全て懸け、あるいは載置した状態を図３に示す。なお、着用の際は、使用者Ｕの動作は上記の略逆の過程を辿るが、この際にも使用者Ｕは、腰をかがめたり腕を不自然に伸ばしたりといった無理な動作を一切することなくズボンＰを着用し、ネクタイＮＴを着け、上着Ｃを着て小物類Ａを身に着けることができるものである。
【産業上の利用可能性】
【００４８】
本考案のスーツハンガーは、上記のように非常に利便性が高くかつ使用に楽でしかも着衣に皺や型崩れが発生しないという顕著な特徴を持つものであるが、これに加えて全体が分解可能で運搬がし易く、しかも分解組立てが簡単にできるという優れた特質を有するものである。したがって、購買者は、販売店にて購入したスーツハンガーを配送してもらう必要がなく、自分の車に積んで持ち帰り、自分で組み立てて使用することができる。故に、本考案のスーツハンガーは、家庭や職場、あるいは各種宿泊施設等において非常に有用性が高く、産業上の利用可能性も極めて高いものであるということができる。
【図面の簡単な説明】
【００４９】
【図１】（ａ）本考案の実施例１のスーツハンガーの正面図である。（ｂ）本考案の実施例１のスーツハンガーの右側面図である。（ｃ）本考案の実施例１のスーツハンガーの平面図である。
【図２】本考案の実施例１のスーツハンガーの外観斜視図である。
【図３】本考案の実施例１のスーツハンガーの使用状態を示す説明図である。
【図４】本考案の実施例１のスーツハンガーの分解・組立てを説明するための説明図である。
【図５】本考案の実施例１のスーツハンガーの作用を説明するための説明図である。
【図６】（ａ）本考案の実施例１のスーツハンガーのズボン用ハンガーと小物置台の下方から見た外観斜視図である。    （ｂ）本考案の実施例１のスーツハンガーのズボン用ハンガーと小物置台の支柱への固着方法を説明するための一部を切欠した説明図である。
【図７】（ａ）本考案の実施例１のスーツハンガーの上着用ハンガーの正面図である。    （ｂ）比較例の上着用ハンガーの正面図である。
【符号の説明】
【００５０】
１        スーツハンガー
２        支柱
２１      上部支柱
２１ａ    本体
２１ｂ    縮径部
２１ｃ    ネジ孔
２１ｄ    芯材
２２      中部支柱
２２ａ    本体
２２ｂ    ネジ孔
２２ｃ    芯材
２３      下部支柱
２３ａ    本体
２３ｂ    ネジ孔
２３ｃ    芯材
３        台座
３ａ      正面
３ｂ      背面
３ｃ      左側面
３ｄ      右側面
３ｅ      ネジ孔
４        上着用ハンガー
４０      上着用ハンガー
４Ｘ      中心軸
４ａ      中央部分
４ｂ      左翼
４ｃ      右翼
４ｄ      背面
４ｅ      ネジ孔
４ｆ      凹部
５        ズボン用ハンガー
５１      線材
５１ａ    固着部分
５１ｂ    斜向部分
５１ｃ    接続部分
５１ｄ    湾曲部分
５１ｅ    水平部分
５１ｆ    止め部分
５２      滑り止め
６        小物置台
６１      本体
６１ａ    凹部
６１ｂ    リム部
６２      支持板
６２ａ    円孔
７        頂部飾り
７１      本体
７２      台部
７３      芯材
Ａ        小物類
ＡＲ１    位置
ＡＲ２    位置
ＡＲ３    位置
Ｃ        上着
Ｄ１      距離
Ｄ２      距離
Ｄ３      距離
ＧＬ      水平面
Ｈ１      高さ
Ｈ２      高さ
Ｈ３      高さ
Ｈ４      高さ
Ｎ        ナット
ＮＴ      ネクタイ
Ｐ        ズボン
Ｕ        使用者
Ｗ１      横幅
Ｗ２      横幅
ａ        アジャスタ
ｈ１      高さ
ｗ１      横幅
ｗ２      横幅
【図１】
0003137422.tif 000003
【図２】
0003137422.tif 000004
【図３】
0003137422.tif 000005
【図４】
0003137422.tif 000006
【図５】
0003137422.tif 000007
【図６】
0003137422.tif 000008
【図７】
0003137422.tif 000009